(57)【要約】【課題】両側下面に走行台車を付設した複数の屋根パネルで躯体の屋根を形成し、躯体端部に設けた収納所内からの屋根パネルの繰出しと収納所内への繰込みとで躯体上面を開閉する大形構造物の屋根開閉装置において、水平状態で躯体上面を閉塞する屋根パネルを収納所収納の際、垂直ないし傾斜させて、躯体上面の開放スペースを大きく設定できるよう設けた。【解決手段】上記走行台車５用の走行レール６に沿って配設した回転レール８を、収納所出入口３ａで走行レール６から次第に離れるよう傾斜させ、各屋根パネル２に付設させた回転ローラ７を回転レール８に接して移動させることで、収納所３からの繰出しに際しては屋根パネル２が垂直ないし傾斜状態から水平に、かつ収納所内への繰込みに際しては水平状態から垂直ないし傾斜するよう設けた。【選択図】    図２
2004244819.tif 000002
【特許請求の範囲】
【請求項１】
躯体の屋根を複数枚に分割した屋根パネルで形成し、これ等各屋根パネル両側に付設させた走行台車を、躯体両側上方へ付設された走行レール上へ載置させ、各躯体端部に設けた収納所内へ、走行台車を介して各屋根パネルを繰込み又収納所内から繰出すことで、躯体上面を開閉する大形構造物の屋根開閉装置において、
上記走行レールに沿って回転レールを、収納所外方にあっては、走行レールとほぼ平行に、収納所出入口部分にあっては回転レールが傾斜して走行レールとの距離が次第に開くよう設け、
又屋根パネルは、両側面の一方端部側から突出させたヒンジを介して走行台車を付設すると共に他方端部側へ、上記回転レールへ嵌合する回転ローラを直接ないしアームを介して付設させ、
上記収納所出入に際し、ヒンジを中心に回動して収納所内では各屋根パネルが垂直ないし同一方向へ傾斜して互いに接近可能に形成した
ことを特徴とする大形構造物の屋根開閉装置。
【請求項２】
上記収納所を、躯体の両端部ないし中間部に形成し、屋根パネルを収納可能とした
ことを特徴とする、請求項１記載の大形構造物の屋根開閉装置。
【請求項３】
上記走行台車を各屋根パネルの屋根閉塞側端部へ、又回転ローラを収納所側端部へそれぞれ付設した
ことを特徴とする請求項１又は２記載の大形構造物の屋根開閉装置。
【請求項４】
上記回転ローラを各屋根パネルから上方ないし下方へ突出させたアーム先端に付設した
ことを特徴とする、請求項１、２又は３記載の大形構造物の屋根開閉装置。
【請求項５】
上記走行レール上方へ回転レールを、収納所外方にあっては走行レールに近く、収納所内にあっては走行レールから離して、又収納所出入口部にあっては傾斜させて横設すると共に、
走行台車は各屋根パネルの屋根閉塞側の端部側へ、又回転ローラは、各屋根パネルの収納所側端部から上方起立するアームの上端部側へ、それぞれ付設させて設け、
上記収納所内高位置の回転レール部分と集納所入口部の傾斜する回転レール部分との連続部を、上記高位置回転レール部分よりも高く山形に隆起させ、該隆起する回転レール部分を回転ローラが通過するとき、屋根パネル側方からみて上記ヒンジと回転ローラとを結ぶ線がほぼ垂直となるよう設けた
ことを特徴とする、請求項１又は２記載の大形構造物の屋根開閉装置。
【請求項６】
上記両収納所内へ収納された状態で、収納所内奥部側に位置する屋根パネルのヒンジ位置よりも収納所出入口側の屋根パネルのヒンジ位置をそれぞれ高く設けると共に、
それ等屋根パネルが繰出されて躯体上面を閉塞した状態では、躯体中央側に位置する屋根パネルの回転ローラが嵌合する回転レール部分を、収納所側に位置する屋根パネルの回転ローラが嵌合する回転レール部分よりも高く位置させることで、躯体中間で隣接する一対の屋根パネルは、端面相互を突合せて接すると共に、これ等両屋根パネルを除く他の屋根パネルは、各躯体中間側端面側部分の上面が、躯体中間側に位置する屋根パネルの収納所側端面側部分の下面へ接するよう設けた
ことを特徴とする請求項２記載の大形構造物の屋根開閉装置。
【請求項７】
上記回転レールを、両収納所出入口の走行レール部分下方から走行レール部分上外方へ第１傾斜回転レール部分として延出させると共に、該第１傾斜回転レール部分上端から、躯体中央方向へ延出させた回転レール部分を、上記両収納所の一方内へ収納させる屋根パネル数と同数の水平回転レール部分と、上記第１傾斜回転レール部分を含めて同数の傾斜回転レール部分とを、交互に連続させた
ことを特徴とする、請求項６記載の大形構造物の屋根開閉装置。
【発明の詳細な説明】
【０００１】
【発明の属する技術分野】
本発明は大形構造物の屋根開閉装置に関する。
【０００２】
【従来の技術】
例えば特許文献１が示すように、大形構造物の躯体上面を閉塞する屋根を、複数の板状部に分割された屋根パネルで形成し、それ等屋根パネルの両側部へ付設した走行台車を躯体両側上方へ敷設した走行レール上へ載置させ、躯体の両端部に設けた収納所内への各屋根パネルの繰込みと収納所からの繰出しとで躯体上面を開閉する屋根開閉装置が知られている。
【０００３】
【特許文献１】
特開平１０−８６２７号公報
【０００４】
【発明が解決しようとする課題】
上記従来例は、屋根開閉用の屋根パネルを、水平状態のまま躯体両端の収納所へ上下に重ねて収納するため、屋根開放状態における開放スペースを大きくするためには、各屋根パネルの横巾を短くして屋根パネル数を多くすることが必要となり、このようにすると各屋根パネル両側に付設する台車数を多くすることが必要となって経済的ではなく、又台車数を少くして屋根パネル横巾を大とすると、上記開放スペースが狭くなる欠点があった。
【０００５】
本発明は上記収納所内へ入った屋根パネルが垂直ないし同一方向へ傾斜して各屋根パネル間の間隙を狭めることができ、又収納所からの繰出し時には各屋根パネルが水平状態に変位して躯体上面を閉塞できるよう設け、このようにして効率的に屋根の開閉が出来るよう設けたものである。
【０００６】
尚上記収納所は、躯体の一端に設けて該躯体上面を開閉する全屋根パネルを収納させてもよく、又躯体の中間部に設けて、該中間収納所内へ収納させた屋根パネルを、躯体両端側へ繰出し、かつ繰込みするよう設けてもよい。
【０００７】
【課題を解決するための手段】
第１の手段として、躯体の屋根を複数枚に分割した屋根パネルで形成し、これ等各屋根パネル両側に付設させた走行台車を、躯体両側上方へ付設された走行レール上へ載置させ、各躯体端部に設けた収納所内へ、走行台車を介して各屋根パネルを繰込み又収納所内から繰出すことで、躯体上面を開閉する大形構造物の屋根開閉装置において、
上記走行レールに沿って回転レールを、収納所外方にあっては、走行レールとほぼ平行に、収納所出入口部分にあっては回転レールが傾斜して走行レールとの距離が次第に開くよう設け、
又屋根パネルは、両側面の一方端部側から突出させたヒンジを介して走行台車を付設すると共に他方端部側へ、上記回転レールへ嵌合する回転ローラを直接ないしアームを介して付設させ、
上記収納所出入に際し、ヒンジを中心に回動して収納所内では各屋根パネルが垂直ないし同一方向へ傾斜して互いに接近可能に形成した。
【０００８】
第２の手段として、上記第１の手段を有すると共に上記収納所を、躯体の両端部ないし中間部に形成し、屋根パネルを収納可能とした。
【０００９】
第３の手段として、上記第１又は第２の手段を有すると共に上記走行台車を各屋根パネルの屋根閉塞側端部へ、又回転ローラを収納所側端部へそれぞれ付設した。
【００１０】
第４の手段として、上記第１、第２又は第３の手段を有すると共に上記回転ローラを各屋根パネルから上方ないし下方へ突出させたアーム先端に付設した。
【００１１】
第５の手段として、上記第１又は第２の手段を有すると共に上記走行レール上方へ回転レールを、収納所外方にあっては走行レールに近く、収納所内にあっては走行レールから離して、又収納所出入口部にあては傾斜させて横設すると共に、
走行台車は各屋根パネルの屋根閉塞側の端部側へ、又回転ローラは、各屋根パネルの収納所側端部から上方起立するアームの上端部側へ、それぞれ付設させて設け、
上記収納所内高位置の回転レール部分と集納所入口部の傾斜する回転レール部分との連続部を、上記高位置回転レール部分よりも高く山形に隆起させ、該隆起する回転レール部分を回転ローラが通過するとき、屋根パネル側方からけて上記ヒンジと回転ローラとを結ぶ線がほぼ垂直となるよう設けた。
【００１２】
第６の手段として、上記第２の手段を有すると共に上記両収納所内へ収納された状態で、収納所内奥部側に位置する屋根パネルのヒンジ位置よりも収納所出入口側の屋根パネルのヒンジ位置をそれぞれ高く設けると共に、
それ等屋根パネルが繰出されて躯体上面を閉塞した状態では、躯体中央側に位置する屋根パネルの回転ローラが嵌合する回転レール部分を、収納所側に位置する屋根パネルの回転ローラが嵌合する回転レール部分よりも高く位置させることで、躯体中間で隣接する一対の屋根パネルは、端面相互を突合せて接すると共に、これ等両屋根パネルを除く他の屋根パネルは、各躯体中間側端面側部分の上面が、躯体中間側に位置する屋根パネルの収納所側端面側部分の下面へ接するよう設けた。
【００１３】
第７の手段として、上記第６の手段を有すると共に上記回転レールを、両収納所出入口の走行レール部分下方から走行レール部分上外方へ第１傾斜回転レール部分として延出させると共に、該第１傾斜回転レール部分上端から、躯体中央方向へ延出させた回転レール部分を、上記両収納所の一方内へ収納させる屋根パネル数と同数の水平回転レール部分と、上記第１傾斜回転レール部分を含めて同数の傾斜回転レール部分とを、交互に連続させた。
【００１４】
【発明の実施の形態】
まず、図１から図４が示す第１実施形態について説明すると、１は上面開放の躯体で、その上面は複数の屋根パネル２で開閉自在に設けている。
【００１５】
躯体１の一端は屋根パネルの集納所３に形成させてあり、該集納所にあっては図２の左方に示すように各屋根パネルが垂直となって各屋根パネルが近接し、又該集納所内からの屋根パネル繰出しによって各屋根パネルは水平に変位して躯体上面を閉塞できるよう設けている。
【００１６】
各屋根パネル２は、図１が示すように両側部の繰出し側へヒンジ４を介して走行台車５を付設しており、又その走行台車は躯体両側壁１ａ、１ａの上面へ敷設した走行レール６上へ載置させている。又屋根パネルは、その両側部の繰込み方向側端部側へ回転ローラ７を付設しており、該回転ローラを躯体両側壁１ａの上部内面へ横設させた回転レール８上へ嵌合させている。
【００１７】
図２が示すように回転レール８は、集納所３外方にあっては走行レール６と回転レール８との各上面がほぼ平行する水平面上に位置し、かつ集納所の出入口３ａにあっては、図２が示すように回転レール８上面が、下方へ傾斜した後、下方へ垂直に垂下するよう設けている。よって図２の状態から集納所内屋根パネルの走行台車５を繰出し方向へ走行させると、回転ローラ７が上記垂直面へ接した後、傾斜面９上へ乗上げ、更に走行台車が繰出し方向へ進行することで、屋根パネル２は水平となり、各屋根パネルの両端面が突合せ状に接することで、躯体上面は閉塞される。該閉塞状態から各屋根パネル２を繰込み方向へ進行させると、回転ローラ７が傾斜面９を下降することで、屋根パネル２は傾斜し、回転ローラが傾斜面９から外れることで、屋根パネル２は垂直となって集納所３内へ集納される。
【００１８】
図５から図７は第２実施形態を示す。該実施形態は、回転ローラ７を屋根パネル２の収納所側端面側の両側部下面からアーム１０を介して垂下させ、かつその回転ローラを図７が示すように躯体両側壁１ａ、１ａの上部内面へ横設した回転レール８、８上へ嵌合させたものであり、その回転レールを図２の場合と同様に集納所出入口３ａにおいて傾斜させ、かつその傾斜面先端を下方へ垂下させることで第１実施例の場合と同様に各屋根パネルを垂直状態で集納できる。尚躯体上面の開閉は第１実施形態の場合と同じであり、よってその説明は省略する。
【００１９】
図８から図１０は第３実施形態を示す。該実施形態は、集納所３内において各屋根パネル２が起立するよう設けたもので、集納所外方にあっては、図１０が示すように躯体両側壁１ａ、１ａの外縁部上面に回転用レール８、８が敷設され躯体両側壁１ａ、１ａ上面へ敷設された走行レール６上面へ走行台車５が載置されて、各屋根パネル２はそれぞれ水平状態で走行する。
【００２０】
集納所出入口３ａにあっては、回転用レール８が上方へ傾斜させてあり、該傾斜部分先端から水平に集納所奥部内へ回転レール８を延長させている。集納所３内において各屋根パネル２はそれぞれ垂直に起立するよう設けてあり、該収納所３内からの屋根パネル繰出しにより回転ローラ７が上記回転用レール８の傾斜部分を通過するとき、ヒンジ４を中心として屋根パネル２は傾斜し、集納所３外方へ移動することで、水平となり、躯体上面を閉塞する。
【００２１】
尚図１１は第３実施形態の変形例を示すもので、収納所３に高さ制限がある場合は、図１１のように走行用レール６から回転用レール８までの高さを低くして、各屋根パネル２が傾斜するよう設けてもよい。
【００２２】
図１２から図１４は第４実施形態を示す。該実施形態は、図１４が示すように屋根パネル２両側の収納所側の端部側からアーム１０を起立し、該アーム上端部へ回転用ローラ７を付設している。
【００２３】
回転用レール８は、図８の場合と同様に、収納部出入口で傾斜させ、収納所３外方と収納所３内とでは走行レール６上方へ平行に横設しているが、上記アーム１０の高さだけ収納所外方では図８の場合よりも高く設けてアーム先端に付設した回転用ローラ７を回転用レール８へ嵌合させている。
【００２４】
該実施形態の場合は、図１３が明確としているように、回転用レール８の傾斜部分上端と、収納部内の水平部分外端とが形成する屈折部を収納部の水平部分よりも高い山形１１に形成しており、収納所３内から走行台車５で繰出しされる屋根パネル２は、複数假想三角形１２の変化で示すように屋根パネル中心線１３とヒンジ４と回転ローラ７とが各位置を変え乍ら移動し、回転ローラ７が山形１１の頂点に達するまでは屋根パネルの中心線１３が次第に傾斜し、山形頂点１１ａ  に達すると回転レール８に接する回転ローラ７下面とヒンジ４中心とを結ぶ直線が垂直となり、以後傾斜して収納所３外方では図１２が示すように水平となる。
【００２５】
このようにして、収納所３内では垂直に起立している屋根パネル２を、収納所の出入口３ａ通過の際、走行台車５が先行する状態に屋根パネルを倒すことが出来、又屋根パネル繰込み時にあっては、上記とは逆に回転ローラ７の上記山形１１部分通過で屋根パネル２を垂直に戻すことが出来る。
【００２６】
図１５は第５実施形態を示す。
【００２７】
既述各実施形態は、収納所３内から走行台車５が屋根パネル２を牽引して繰出し、繰込み時には走行台車が屋根パネル２を押して戻るよう設けていたが、該第５実施形態は上記とは逆に収納所３内から屋根パネル２を押して繰出し、又屋根パネルを牽引して収納所内へ戻るよう設けたものである。
【００２８】
該実施形態の場合は、走行レール６に対して回転レール８が、収納所内にあっては走行レール６よりも下方に、又収納所外方にあっては走行レールよりも上方にそれぞれ位置し、収納所出入口部分にあっては収納所内走行レール部分と収納所外方の走行レール部分の各端部を連続させて傾斜させ、収納所内にあってヒンジ４よりも回転ローラ７が出入口側の下方に位置するよう屋根パネル２を傾斜させればよい。
【００２９】
図１６から図２０は第６実施形態を示す。該実施形態は、躯体１の両端部へ収納所３を設け、これ等両収納所内にそれぞれ複数の屋根パネル２を垂直或いは傾斜状態で収納させておき、図１６が示すように躯体上面閉塞時には、収納所側に位置する各屋根パネル２の躯体中間部側端部の上面へ、躯体中間側に位置する屋根パネルの収納所側端部の下面が接し、又躯体中間部に位置する両屋根パネルの躯体中間側端面は、互いに突合せ状態で接するよう設けたものである。
【００３０】
図が示すように両収納所３内へそれぞれ三枚宛の屋根パネル２を収納させる場合を例にとって説明すると、各屋根パネルが有する走行台車５は図１８が示すように躯体左右側壁の上面へ敷設された二本宛、計６本の走行レールのうち、外方二本のレール上へは収納所奥部に位置する屋根パネルの走行台車５が載置され、中間二本の走行レール上へは収納所中間の、又内方二本の走行レール上へは収納所出入口３ａ側屋根パネルの走行台車５，５がそれぞれ載置されている。各走行台車からは高さを異にする支持柱１４が起立させてあり、それ等各支持柱上端部で、各屋根パネル側面から外方突出するヒンジ４先端部を支持する。図示例では外方走行レール上の走行台車から起立する支持柱１４を高く、内方走行レール上の走行台車から起立する支持柱１４を低く起立させた。
【００３１】
回転レール８は、図１７が示すように、収納所３内から躯体中間までを、順次高く、第１水平部８ａ、第２水平部８ｂ、第３水平部８ｃ、第４水平部８ｄと、上記第１、第２水平部を連続する第１傾斜部８ｅ、第２、第３水平部を連続する第２傾斜部８ｆ、第３、第４水平部を連続する第３傾斜部８ｇとで、第１水平部８ａは走行レールよりも下に、第２、第３、第４水平部は走行レール上方に位置させて設けた。従って第１傾斜部８ｅの第２水平部８ｂ側の部分と第２、第３傾斜部８ｆ，８ｇ  は走行レール６よりも上方に位置することとなる。
【００３２】
各屋根パネルのヒンジ４と回転ローラ７とは、図１７が示すように収納所３内における垂直状態において、各ヒンジ４よりも各回転ローラ７が下方に、又各回転ローラ７は、回転レール第１水平部８ａよりも上方に位置するよう設ける。又該状態において、収納所出入口３ａ側に位置する屋根パネルのヒンジ４の位置は、第４水平部８ｄの上面と、又収納所出入口から二番目に位置する屋根パネルのヒンジ４の位置は、第３水平部８ｃ上面と、収納所奥部に位置する屋根パネルのヒンジ４の位置は、第２水平部８ｂ上面と、それぞれほぼ高さに設ける。
【００３３】
上記構成において、収納所内各屋根パネルを順次発走させると、各回転ローラが各傾斜部に接することで所定の位置でそれぞれ水平となり、図１６が示すように最初に発走した両屋根パネルの躯体中間側の端面相互は突合せ状態に接し、又次に発走した屋根パネルの躯体中間側の端面部分上面は、最初に発走した屋根パネルの収納所側端部の下面へ、更に最後に発走した屋根パネルの躯体中央側端部の上面は、二番目に発走した屋根パネルの収納所側端部の下面へ、それぞれ接して躯体上面が閉塞される。
【００３４】
躯体上面の開放は、上記と逆に走行台車を発走させればよく、各屋根パネルは、各回転ローラが傾斜部を通過する毎に傾斜し、次いで垂直となって図１７のように垂直状態で重合せに収納される。
【００３５】
既述各実施形態においては、躯体１の一方端部と両端部とに収納所３を設ける場合について説明したが、躯体の中間部へ収納所を設けてもよく、この場合は中間収納所の一半内へ躯体一半開閉用の、又中間収納所の他半内へ躯体他半開閉用の、それぞれの複数屋根パネルを収納させればよく、このようにすることで、躯体一半は閉塞させたままとし、他半だけを開閉して使用することも考えられる。
【００３６】
【発明の効果】
本発明は既述構成とするものであり、請求項１のようにすることで、屋根パネルの横巾を大としても、収納所内への収納時にそれ等屋根パネルは垂直ないし傾斜させて収納するから躯体上面の開放スペースを従来に比べて大とすることが出来、又屋根パネル数を少なくすることで走行台車数を少なくすることが出来る。
【００３７】
請求項２のようにすることで、躯体上面の開閉を迅速に行うことが出来る。
【００３８】
請求項３のようにすることで、各屋根パネル繰出し時において、屋根パネルを水平状態に変化させることが容易となる。
【００３９】
請求項４のようにすることで、屋根パネルの形状および回転レール敷設位置の各制限を解除でき、それぞれの現場に適した対応が可能となる。
【００４０】
請求項５のようにすることで、各走行台車からヒンジを介して屋根パネルを起立させた状態で収納所内に収納されている屋根パネルを、屋根パネル出入に際して所定の方向へ倒し、又起こすことが容易となる。
【００４１】
請求項６のようにすることで、屋根閉塞状態における漏水対策が容易となる。
【００４２】
請求項７のようにすることで、請求項６のように各屋根パネルの端部重合せにより屋根閉塞を行う場合における、回転レール全体を単純化でき、又必要とする回転レールを有効に配設することが出来る。
【図面の簡単な説明】
【図１】本発明装置付き躯体の平面図である。
【図２】図１装置を側面からみた説明図である。
【図３】図１Ａ−Ａ線を矢示方向へみた断面図である。
【図４】図１Ｂ−Ｂ線を矢示方向へみた断面図である。
【図５】第２実施形態で示す、本発明装置付き躯体の平面図である。
【図６】図５載置を側面からみた説明図である。
【図７】図５Ａ−Ａ線の断面図である。
【図８】第３実施形態で示す、収納所出入時における屋根パネル回動の説明図である。
【図９】図８Ａ−Ａ線を矢示方向へみた断面図である。
【図１０】図８Ｂ−Ｂ線を矢示方向へみた断面図である。
【図１１】図８要部の変形例を示す説明図である。
【図１２】第４実施形態で示す、収納所出入時における屋根パネル回動の説明図である。
【図１３】図１２における屋根パネル回動を図形を用いて説明する図面である。
【図１４】図１２Ａ−Ａ線を矢示方向へみた断面図である。
【図１５】第５実施形態で示す、収納所出入時における屋根パネル回動の説明図である。
【図１６】第６実施形態で示す、躯体上面閉塞状態を示す説明図である。
【図１７】図１６が示す各屋根パネルを収納所内へ収納させた状態で示す説明図である。
【図１８】図１７Ａ−Ａ線を矢示方向へみた説明図である。
【図１９】図１７Ｂ−Ｂ線を矢示方向へみた説明図である。
【図２０】図１７Ｃ−Ｃ線を矢示方向へみた説明図である。
【符号の説明】
１…躯体                  １ａ…両側壁
２…屋根パネル                        ３…収納所
３ａ…収納所出入口                    ４…ヒンジ
５…走行台車                            ６…走行レール
７…回転ローラ                        ８…回転レール
８ａ…第１水平部                        ８ｂ…第２水平部
８ｃ…第３水平部                        ８ｄ…第４水平部
８ｅ…第１傾斜部                        ８ｆ…第２傾斜部
８ｇ…第３傾斜部                        ９…傾斜面
１０…アーム                                １１…山形
１１ａ…山形頂点                            １２…假想三角形
１３…屋根パネル中心線            １４…支持柱
【図１】
2004244819.tif 000003
【図２】
2004244819.tif 000004
【図３】
2004244819.tif 000005
【図４】
2004244819.tif 000006
【図５】
2004244819.tif 000007
【図６】
2004244819.tif 000008
【図７】
2004244819.tif 000009
【図８】
2004244819.tif 000010
【図９】
2004244819.tif 000011
【図１０】
2004244819.tif 000012
【図１１】
2004244819.tif 000013
【図１２】
2004244819.tif 000014
【図１３】
2004244819.tif 000015
【図１４】
2004244819.tif 000016
【図１５】
2004244819.tif 000017
【図１６】
2004244819.tif 000018
【図１７】
2004244819.tif 000019
【図１８】
2004244819.tif 000020
【図１９】
2004244819.tif 000021
【図２０】
2004244819.tif 000022